(57)【要約】【課題】長周期の地震動によるスロッシングの発生を抑制し内部の液体の流出を防止することができる液体貯留容器を提供すること【解決手段】液体７を貯留する内部空間１１を複数のセル８に分割する鉛直仕切り板４を供えた貯水槽１。内部空間に貯留された液体７は、鉛直仕切り板４によりセルに分割される。液体７の振動方向の寸法はセ８ルに分割しない場合に比べて小さくなり、液体の固有振動数を低下する。その結果、長周期の期地震動によるスロッシングの発生を抑止することができる。【選択図】図１
2007176595.tif 000002
【特許請求の範囲】
【請求項１】
液体を貯留する容器において、
前記液体を貯留する内部空間に鉛直方向に設けられ前記内部空間を複数のセルに分割する鉛直仕切り板を備えたことを特徴とした液体貯留容器。
【請求項２】
前記内部空間を水平方向に分割する水平仕切り板を備え、
前記鉛直仕切り板は、前記水平仕切り板の上部に設けられていることを特徴とした請求項１に記載の液体貯留容器。
【請求項３】
前記水平仕切り板には、開口部が設けられていることを特徴とした請求項２に記載の液体貯留容器。
【請求項４】
前記水平仕切り板は前記容器の外壁内部に設けられた受け台に着脱可能なように支持されていることを特徴とした請求項２または３に記載の液体貯留容器。
【請求項５】
前記鉛直仕切り板の上端は、前記液体の液面よりも上方に突出していることを特徴とした請求項１ないし請求項４のいずれかひとつに記載の液体貯留容器。
【請求項６】
液体を貯留する容器において、
前記液体を貯留する内部空間の上部に固定され前記内部空間の上部を複数のセルに分割する複数の中空体を備えたことを特徴とした液体貯留容器。
【請求項７】
前記内部空間を水平方向に分割する水平仕切り板を備え、
前記中空体の外形は球形であり、その下端部が前記水平仕切り板の上面に固定されていることを特徴とした請求項６に記載の液体貯留容器。
【請求項８】
前記水平仕切り板には、開口部が設けられていることを特徴とした請求項７に記載の液体貯留容器。
【請求項９】
前記外壁の内側に沿って直立するように設けられた支持板を備え、
前記中空体の外形は円筒形であり、その両端部が前記支持板の上端部に固定されていることを特徴とした請求項６に記載の液体貯留容器。
【請求項１０】
前記中空体のうちの一部は、その端部と前記外壁との間に空隙が生じるように配置されていることを特徴とした請求項９に記載の液体貯留容器。
【請求項１１】
前記中空体には、その内部に対して前記液体を注入及び排出するための孔が設けられていることを特徴とした請求項６ないし請求項１０のいずれかひとつに記載の液体貯留容器。
【請求項１２】
前記各セルに貯留される前記液体の固有周期は、０．５秒以下であることを特徴とした請求項１ないし請求項１１のいずれかひとつに記載の液体貯留容器。
【発明の詳細な説明】
【技術分野】
【０００１】
本発明は、液体貯留容器に関し、特に長周期の地震動によるスロッシングの発生を防止することができる液体貯留容器に関する。
【背景技術】
【０００２】
液体貯留タンク等の液体をその内部に貯留する容器に地震波が作用すると液面は遥動する。この遥動は地震動の卓越した振動周期が貯留されている液体の固有周期に近い場合にきわめて大きくなる。このような現象は、スロッシングと呼ばれている。
スロッシングが生じると構造物には大きな波力が作用し、壁や天井等の部材がこの波力に耐えられないと構造物は破壊することになる。
【０００３】
従来、地震動の卓越した周期は０．５秒ないし１．０秒程度であると考えられていたため、石油貯留タンク等の大型容器は、固有振動数が上記の範囲よりも大きくなるように設計されていた。ところが、近年長周期の地震動（卓越周期が５秒ないし１０秒程度）が観測されるようになり、容器構造物の破壊や貯留されている液体の漏出事故も報告されるようになった。
このような背景から、長周期の地震動によるスロッシングに対する防災対策の必要性が指摘されている。
【０００４】
特許文献１には、スロッシングによる衝撃力が構造部材に直接作用しないようにして破壊を防止するように構成された液体貯留タンクが記載されている。この液体貯留タンクは、長方形の単位板を組み合わせてなる略直方体の躯体を有している。天井壁の遇角部の単位板には、圧力解除蓋が設けられている。
このような構造とすることにより、スロッシングにより液面に生じた波が天井壁に達したときには圧力解除蓋が開放されて天井壁に作用する衝撃力は開放され、天井壁の破壊を防止することができる。
【０００５】
【特許文献１】特開平９−２４９２９２号公報
【発明の開示】
【発明が解決しようとする課題】
【０００６】
しかし、特許文献１に記載された液体貯留タンクにおいては、スロッシングの発生そのものは防止することができない。そのため、スロッシングが生じたときには、貯留されている液体が流出してしまうという問題があった。
【０００７】
そこで、本発明は、長周期の地震動によるスロッシングの発生を抑制し内部の液体の流出を防止することができる液体貯留容器を提供することをその目的とする。
【課題を解決するための手段】
【０００８】
本発明の、液体貯留容器は、液体を貯留する内部空間を複数のセルに分割する鉛直仕切り板を供えている（請求項１ないし請求項５、請求項１２）。
【０００９】
容器内の液体の固有振動数は、数式１により算出することができる。この式は、たとえば特開平１−３１３１７４号公報に記載されている。
【数１】
2007176595.tif 000003
【００１０】
ここで、Ｔは固有周期（Ｓ）、Ｌ（ｍ）は液体の振動方向の長さ、Ｈ（ｍ）は水深、ｇは重力加速度（９．８ｍ／ｓ２）、πは円周率である。
上記液体貯留装置によれば、容器内に貯留されている液体は、セルにより分離され地震動の振動方向の寸法は、鉛直仕切り板を設けない場合に比べて小さくなる。そうすると、数式１から明らかなように、各セルに貯留されている液体の固有振動数は、鉛直仕切り板を設けない場合に比べて小さくなる。
そのため、長周期の地震動によるスロッシングの発生を防止し、貯留されている液体の漏出を防止することができる。
【００１１】
上記液体貯留容器において、内部空間を水平方向に分割する水平仕切り板を備え、
鉛直仕切り板は、水平仕切り板の上部に設けるようにしてもよい（請求項２）。
このようにすれば、水平仕切り板の下部には、連続した大きな内部空間を確保することができる。
【００１２】
上記液体貯留容器において、水平仕切り板に開口部を設けてもよい（請求項３）。
このようにすれば、仕切り板の上部と下部の間の液体の流通を確保することができるため、液体貯留容器の利便性を向上させることができる。
【００１３】
上記液体貯留容器において、水平仕切り板は容器の外壁内部に設けられた受け台に着脱可能に支持されているようにしてもよい（請求項４）。
このようにすれば、鉛直仕切り板と水平仕切り板を取り外すことができる。そのため、維持管理作業が行いやすくなる。
【００１４】
上記液体貯留容器において、鉛直仕切り板の上端は、液体の設計上の最高液面位置よりも上方に突出するようにしてもよい（請求項５）。
このようにすれば、スロッシングを防止することを意図した範囲外の周期の地震により大きな波が発生した場合、液体は鉛直仕切り板を越えて隣のセルに流れるようになる。鉛直仕切り板を乗り越えるときに波のエネルギーの一部は失われ、鉛直仕切り板または外壁に作用する波力を減少させることができる。
【００１５】
本発明の液体貯留容器は、液体を貯留する内部空間の上部に固定され、内部空間の上部を複数のセルに分割する複数の中空体を備えている（請求項６ないし請求項１２）。
上記液体貯留容器によれば、鉛直仕切り板により内部空間を複数のセルに分割した場合と同様に、内部空間をセルに分割しない場合に比べ、容器内に貯留されている液体の固有振動数を小さくすることができる。
そのため、長周期の地震動によるスロッシングの発生を防止し、貯留されている液体の漏出を防止することができる。
また、中空体は、内部空間の上部にのみ配置されているので、中空体の下部には連続した大きな内部空間を確保することができる。
【００１６】
上記液体貯留容器において、内部空間を水平方向に分割する水平仕切り板を備え、中空体の外形は球形であり、その下端部が水平仕切り板の上端に固定されているようにしてもよい（請求項７）。
このようにすれば、ボール、ブイ等として広く用いられ安価に製造することができる球形の中空体を用いることができる。また、水平仕切り板を備えているので中空体を強固に固定することができる。
【００１７】
上記液体貯留容器において、水平仕切り板には、開口部が設けられているようにしてもよい（請求項８）。
このようにすれば、仕切り板の上部と下部の間の液体の流通を確保することができるため、液体貯留容器の利便性を向上させることができる。
【００１８】
上記液体貯留容器において、外壁の内側に沿って直立するように設けられた支持板を備え、中空体の外形は円筒形であり、その両端部が支持板の上端部に固定されているようにしてもよい（請求項９）。
このようにすれば、広く流通しているパイプ部材の端部をふさぐだけで中空体として用いることができる。また、支持板を備えているので、中空体を強固に固定することができる。
【００１９】
上記液体貯留容器において、中空体のうちの一部は、その端部と外壁との間に空隙が生じるように配置されているようにしてもよい（請求項１０）。
このようにすれば、支持板上端より上部の空間と下部の空間との間の液体の流通を確保することができるため、液体貯留容器の利便性を向上させることができる。
【００２０】
上記液体貯留容器において、中空体には、その内部に対して液体を注入及び排出するための孔が設けられているようにしてもよい（請求項１１）。
このようにすれば、中空体の設置後にも、セル内の液体の量を調節することができる。
【００２１】
上記液体貯留容器において、各セルに貯留される液体の固有周期は、０．５秒以下となるようにしてもよい（請求項１２）。
地震動の卓越した周期は、０．５秒から１．０秒程度である場合が多い。したがって、上記のようにすれば、長周期の地震動だけでなく通常の周期の地震動に対してもスロッシングの発生を防止することができる。
【発明の効果】
【００２２】
本発明の液体貯留容器では、鉛直仕切り板または中空体で内部空間を複数のセルに分割することにより各セル内の液体の振動方向の移動距離を減少させる。そのため、液体の固有振動数は鉛直仕切り板または中空体を設けない場合よりも減少し、長周期地震動によるスロッシングを防止することができる。
【発明を実施するための最良の形態】
【００２３】
以下、図を参照しながら本発明の第１の実施形態である貯水槽１（液体貯留容器の一例）の構成について説明する。
図１（ａ）は、貯水槽１の断面図、図１（ｂ）は、貯水槽１の平面図である。
貯水槽１は、地盤等の上に設置された底板５を備え、底板５の外周には鉛直方向の外壁３が設けられている。底板５と外壁３により形成された内部空間１１には、水７（液体の一例）が蓄えられている。
内部空間には、底板５から直立し格子状に配置された鉛直仕切り板２が設けられ、内部空間１１は、鉛直仕切り板２により複数のセル８に分割されている。鉛直仕切り板２の上端は液面６の上に突出しており、下端は底板５の上面に固定されている。
【００２４】
次に、貯水槽１に蓄えられている水の固有周期について説明する。
図１（ａ）のＬが１０ｍ、Ｈが３ｍの場合について鉛直仕切り板２がないものとして数式１により固有周期を計算すると４．１７ｓとなる。これは、長周期の地震動の周期に近い値であり、スロッシングが発生する恐れがある。図１に示したように鉛直仕切り板２を設け、セル８の振動方向の長さＬ１が１ｍとなった場合について同様に計算するとセル８内の水の固有周期は１．１３ｓとなる。そのため、長周期地震動によるスロッシングを防止することができる。
【００２５】
図２は、Ｈが０．１ｍから５．０ｍ、Ｌが０．１ｍから５ｍの範囲について数式１によりＴを算出した結果を示す表である。図３は、この計算結果をグラフに表わしたものである。
図２及び図３に示したＨの範囲では、周期が０．５秒以上の地震動に対してスロッシングが生じないようにするためにはＨにかかわりなくＬ１が０．２ｍ以下となるように鉛直仕切り板２を設ければよいことがわかる。
【００２６】
貯水槽１では、鉛直仕切り板２の上端は、水面６よりも上方に突出しているため、スロッシングの防止を想定している範囲外の振動周期の地震により大きな波が発生した場合、波が鉛直仕切り板２を越えて隣のセル８に流れるようになる。そのため、鉛直仕切り板２または外壁３に作用する波力を減少させることができる。
【００２７】
次に、図を参照しながら本発明の第２の実施形態である貯水槽１２の構成について説明する。
図４（ａ）は、貯水槽１２の断面図、図４（ｂ）は、貯水槽１２の平面図である。
貯水槽１２は、地盤等の上に設置された底板５を備え、底板の外周には鉛直方向の外壁３が設けられている。底板５と外壁３により形成された内部空間１１には、水７が蓄えられている。
内部空間１１には水平仕切り板４が設けられ、内部空間は上部１１ａと下部１１ｂに分割されている。水平仕切り板４は、その周囲が外壁３の内周に固定されている。
水平仕切り板４よりも上部には、鉛直仕切り板２が設けられ、内部空間の上部１１ａは、鉛直仕切り板２により複数のセル８に分割されている。鉛直仕切り板２の上端は液面６の上に突出しており、下端は水平仕切り板４の上面に固定されている。
【００２８】
水平仕切り板４には、各セル８に対応して１個ずつ開口部１０が設けられている。開口部１０の面積は、水７をセル８ごとに分離する効果を失わないようにするために、セルの底部１３の面積に比べ十分小さくすることが望ましい。
なお、図４では開口部１０の平面形状は円形としてあるが、矩形等他の形状としてもよい。
【００２９】
貯水槽１２によれば、内部空間１１をセル８に分割しているから図１の貯水槽１と同様に長周期地震動によるスロッシングの発生を防止することができる。
また、鉛直仕切り板２は内部空間の上部１１ａにのみ設けられているから、水平仕切り板４の下部には、連続した大きな空間１１ｂを確保することができる。
さらに、前記水平仕切り板４には開口部１０が設けられているから、水平仕切り板４の上部と下部の間の水の流通を確保することができる。
そのため、液体貯留容器の利便性を向上させることができる。たとえば、図１の貯水槽１では注水及び排水をセル８ごとに行う必要があるが、貯水槽１２によれば、セル８のいずれか一つまたは内部空間の下部１１ｂのいずれか１箇所から注排水を行うことができる。
【００３０】
次に、図を参照しながら本発明の第３の実施形態である貯水槽１３の構成について説明する。
図５（ａ）は、貯水槽１３の断面図、図５（ｂ）は、貯水槽１３の平面図である。
貯水槽１３は、地盤等の上に設置された底板５を備え、底板の外周には鉛直方向の外壁３が設けられている。底板５と外壁３により形成された内部空間１１には、水７が蓄えられている。
外壁３の内周には受け台９が設けられ、その上面によって周辺部を支持する形で水平仕切り板４が固定されている。水平仕切り板４は、上方に持ち上げて取り外すこともできる。内部空間１１は、水平仕切り板４により上部１１ａと下部１１ｂに分割されている。
水平仕切り板４よりも上部には、鉛直仕切り板２が設けられ、内部空間の上部１１ａは、鉛直仕切り板２により複数のセル８に分割されている。鉛直仕切り板２の上端は液面６の上に突出しており、下端は水平仕切り板４の上面に固定されている。
【００３１】
貯水槽１３によれば、内部空間１１をセル８に分割しているから図１の貯水槽１と同様に長周期地震動によるスロッシングの発生を防止することができる。
貯水槽１３では、鉛直仕切り板２と水平仕切り板４を取り外すことができるので、保守作業を行う際は、鉛直仕切り板４および水平仕切り板４を設けていない場合と同様に大きな作業空間を確保することができる。また、貯水槽１３が大型のもので、保守作業のために内部空間１１の下部１１ｂに人間が入る必要がある場合でも外壁３または水平仕切り板４に人間が出入りするための開口部であるマンホールを設ける必要がなくなる。
【００３２】
上記の実施形態１ないし３において、貯水槽の平面形状は長方形に限定されない。
図６（ａ）は、平面形状を円形とし、平面形状が正方形のセルで分割した例である。円筒形の貯水槽１４の内部空間１１は、鉛直仕切り板２によって正方形のセル８に分割されている。
図６（ｂ）は、平面形状を円形とし、平面形状が円形のセルで分割した例である。円筒形の貯水槽１５の内部空間１１は、平面形状がリング型の鉛直仕切り板２によって円形のセル８に分割されている。
平面形状が円形の場合の液体の固有振動数の計算式を数式２に示す。この数式は、たとえば、独立行政法人消防研究所のホームページ（http://www.fri.go.jp/bosai/tokachi_lpgm.html）に記載されている。
【数２】
2007176595.tif 000004
【００３３】
ここで、Ｔは固有周期（Ｓ）、Ｄ（ｍ）は貯水槽またはセルの内径、Ｈ（ｍ）は水深、ｇは重力加速度（９．８ｍ／ｓ２）、πは円周率である。
図７は、数式２による固有周期の計算結果を示すグラフである。長方形形状の場合と同様の傾向を示しており、セルの固有周期を０．５秒以下とするためには、図６（ｂ）に示したセルの内径Ｄ１を０．２ｍ以下とすればよいことがわかる。
【００３４】
次に、図を参照しながら本発明の第４の実施形態である貯水槽１６の構成について説明する。
図８（ａ）は、貯水槽１６の断面図、図８（ｂ）は、貯水槽１６の平面図、図８（ｃ）は、貯水槽１６の拡大平面図である。
貯水槽１６は、地盤等の上に設置された底板５を備え、底板の外周には鉛直方向の外壁３が設けられている。底板５と外壁３により形成された内部空間１１には、水７が蓄えられている。
外壁３のうちの対面する２面３ａと３ｂの内周には支持板２６が設けられ、その上面によって２辺を支持される形で水平仕切り板４が固定されているが、必要に応じて情報にもとあげて取り外すこともできる。水平仕切り板４は、単に置いてあるだけであるから上方に持ち上げて取り外すことができる。内部空間１１は、水平仕切り板４により上部１１ａと下部１１ｂに分割されている。
水平仕切り板４の上には、中空体の一例である中空球体２０が水面６全体を覆うように配置され、内部空間の上部１１ａは、中空球体２０の内部空間により形成されたセル８に分割されている。中空球体２０は、その上端部に注水孔２１が設けられると共に、下端部が水平仕切り板４の上面に固定されている。
水平仕切り板４の中空球体２０を支持していない部分には開口部２１が設けられていて、水７は、上部空間１１ａと下部空間１１ｂとの間を流通できるようになっている。
【００３５】
液体貯留槽１６によれば、内部空間１１をセル８に分割しない場合に比べ、液体貯留槽１７内に貯留されている水の固有振動数を小さくすることができる。
そのため、長周期の地震動によるスロッシングの発生を防止し、貯留されている水の漏出を防止することができる。
中空球体２０は、内部空間１１の上部１１ａにのみ配置されているので、中空球体２０の下部には連続した大きな内部空間１１ｂを確保することができる。
セルを形成するための中空体として、ボール、ブイ等として広く用いられ安価に製造することができるものを採用することができる。また、水平仕切り板４を備えているので中空球体２０を強固に固定することができる。
水平仕切り板４には、開口部１０が設けられているので、上部１１ａと下部１１ｂの間の水６の流通を確保することができる。そのため、液体貯留容器の利便性を向上させることができる。
中空球体２０には、上部及び下部に孔２１が設けられているので、中空球体２０の設置後にも、セル８内の水の量を調節することができる。
【００３６】
次に、図を参照しながら本発明の第５の実施形態である貯水槽１７の構成について説明する。
図９（ａ）は、貯水槽１７の断面図、図９（ｂ）は、貯水槽１７の平面図である。
貯水槽１７の全体的な構成は、図８の貯水槽１６と同様であるが、中空体として中空半球体２２を用いている点が貯水槽１６と異なっている。中空半球体２２は、中空の球体をその中心を通る水平面で切断して上半分を取り除いてできるボウル状の形状をしている。
中空半球体２２の上端部は円形の開口部となっており、ここから水６を注水及び排水することができる。中空半球体２２の下部は、水平仕切り板４の上面に固定されている。
【００３７】
貯水槽１７の各セル８の固有振動数は、中空半球体２２の水面位置の内径（図９（ａ）のＤ２）を数式２のＤとして算出することができる。
【００３８】
貯水槽１７の基本的構造は、貯水槽１６と同様であるから、貯水槽１７は、貯水槽１６と同様の効果を奏する。
また、中空半球体２２は、中空の球体を半分に分割することにより製造することができるから、中空体を容易に製造することができる。
【００３９】
次に、図を参照しながら本発明の第６の実施形態である貯水槽１８の構成について説明する。
図１０（ａ）は、貯水槽１８の断面図、図１０（ｂ）は、貯水槽１８の平面図である。
貯水槽１８は、地盤等の上に設置された底板５を備え、底板の外周には鉛直方向の外壁３が設けられている。底板５と外壁３により形成された内部空間１１には、水７が蓄えられている。
外壁３のうちの対面するふたつの面３ａと３ｂの内周には支持板２１が底板５から直立して設けられ、その上面に両端部が固定される形で中空円筒体２３が配置されている。内部空間１１の上部１１ａは、中空円筒体２３の内部空間により形成されたセル８に分割されている。
中空円筒体２３は、軸方向の長さが異なる中空円筒体２３ａと中空円筒体２３ｂがあり、それらが交互に、互いに接触するように、また、水面６全体を覆うように配置されている。
中空円筒体２３ａは、軸方向の長さが貯水槽１８の内幅（図１０（ｂ）のＬ２）に等しく、端面２５が外壁３に密着するように配置され、中空円筒体２３ｂは、軸方向の長さがＬ２よりもやや短く、端面２５と外壁３との間に空隙２４ができるように配置されている。水７は、この空隙２４により上部１１ａと下部１１ｂとの間を流通することができる。
【００４０】
液体貯留槽１８によれば、内部空間をセル８に分割しない場合に比べ、貯水槽１８内に貯留されている水の固有振動数を小さくすることができる。
そのため、長周期の地震動によるスロッシングの発生を防止し、貯留されている液体の漏出を防止することができる。
中空円筒体２３は、内部空間１０の上部１１ａにのみ配置されているので、中空体の下部には連続した大きな内部空間１１ｂを確保することができる。
セルを形成するための中空体として、パイプ材として広く用いられ安価に製造することができるものを採用することができる。また、支持板２６を備えているので中空円筒体２３を強固に固定することができる。
中空円筒体２３ｂは、外壁３との間に空隙２４を生じるように配置されているので、上部１１ａと下部１１ｂの間の水７の流通を確保することができる。そのため、貯水槽の利便性を向上させることができる。
【図面の簡単な説明】
【００４１】
【図１】図１（ａ）は、本発明の第１の実施形態である貯水槽の断面図である。図１（ｂ）は、貯水槽の平面図である。
【図２】固有周期の計算結果を示す表である。
【図３】固有周期の計算結果を示すグラフである。
【図４】図４（ａ）は、本発明の第２の実施形態である貯水槽の断面図である。図４（ｂ）は、貯水槽の平面図である。
【図５】図５（ａ）は、本発明の第３の実施形態である貯水槽の断面図である。図５（ｂ）は、貯水槽の平面図である。
【図６】貯水槽の形状を円筒形とした場合の平面図である。
【図７】貯水槽の形状を円筒形とした場合の固有周期の計算結果を示すグラフである。
【図８】図８（ａ）は、本発明の第４の実施形態である貯水槽の断面図である。図８（ｂ）は、貯水槽の平面図である。図８（ｃ）は、貯水槽の拡大平面図である。
【図９】図９（ａ）は、本発明の第５の実施形態である貯水槽の断面図である。図９（ｂ）は、貯水槽の平面図である。
【図１０】図１０（ａ）は、本発明の第６の実施形態である貯水槽の断面図である。図１０（ｂ）は、貯水槽の平面図である。
【符号の説明】
【００４２】
１  貯水槽
２  鉛直仕切り板
３  外壁
４  水平仕切り板
５  底板
６  水面
７  水
８  セル
９  受け台
１０  開口部
１１  内部空間
１２、１３、１４、１５、１６、１７、１８  貯水槽
２０  中空球体
２１  孔
２２  中空半球体
２３  中空円筒体
２４  空隙
２５  端面
２６  支持板
【図１】
2007176595.tif 000005
【図２】
2007176595.tif 000006
【図３】
2007176595.tif 000007
【図４】
2007176595.tif 000008
【図５】
2007176595.tif 000009
【図６】
2007176595.tif 000010
【図７】
2007176595.tif 000011
【図８】
2007176595.tif 000012
【図９】
2007176595.tif 000013
【図１０】
2007176595.tif 000014